(57)【要約】      （修正有）【課題】既存の機器構成を利用し、簡易的な構成で扉の操作履歴を管理する。【解決手段】メンテナンス業者が所持し施解錠操作によってハンドルロック部４を施解錠する施解錠キー２０には、個々に識別可能な個別ＩＤ情報を記憶したＩＣチップ内蔵のホルダ部２１が装着される。ＩＤ取得部１０は、ハンドルロック部４近傍に配設され、施解錠キー２０の施解錠操作時にホルダ部２１の個別ＩＤ情報を取得する。扉センサ１１は、自動販売機１の外扉の開閉を検出し、この検出に基づく開閉情報を開閉履歴情報として出力する。ログ情報処理部１２は、ハンドルロック部４の施解錠時にＩＤ取得部１０が取得した個別ＩＤ情報に基づく施解錠履歴情報と、扉センサ１１からの開閉情報に基づく開閉履歴情報とを操作履歴情報として記憶手段１２ａに逐次記憶する。【選択図】図１
2009037524.tif 000002
【特許請求の範囲】
【請求項１】
商品を収納する機器本体の前面にある外扉を前記機器本体に対して施解錠するためのハンドルロック部を備える自動販売機において、
施解錠操作によって前記ハンドルロック部を施解錠する施解錠キーに対し、個々に識別可能な個別ＩＤ情報を記憶したＩＣチップ内蔵のホルダ部が装着され、
前記施解錠キーの施解錠操作時に前記個別ＩＤ情報を取得するべく前記ハンドルロック部近傍に配設されるＩＤ取得部と、
前記外扉の開閉を検出し、この検出に基づく開閉情報を開閉履歴情報として出力する扉センサと、
前記ハンドルロック部の施解錠時に前記ＩＤ取得部が取得した個別ＩＤ情報に基づく施解錠履歴情報と、前記扉センサからの開閉情報に基づく開閉履歴情報とを操作履歴情報として記憶するログ情報処理部とを備えたことを特徴とする自動販売機。
【請求項２】
前記ＩＤ取得部は、前記外扉の裏面側で前記ハンドルロック部の外枠に埋設されるアンテナで構成されることを特徴とする請求項１記載の自動販売機。
【請求項３】
前記ログ情報処理部は、外部端末と通信可能な通信インターフェースを備えていることを特徴とする請求項１又は２記載の自動販売機。
【発明の詳細な説明】
【技術分野】
【０００１】
本発明は、例えば飲料、食品、嗜好品、その他各種商品を販売する自動販売機に関し、特に既存の機器構成を利用して簡易的に扉の操作履歴（施解錠履歴や開閉履歴など）を管理することができる自動販売機に関するものである。
【背景技術】
【０００２】
例えば飲料、食品、嗜好品、その他各種商品を販売する自動販売機として、物品を収納する前面開口の自動販売機本体と、自動販売機本体の前面開口を開閉する外扉と、自動販売機本体と外扉とをロックするハンドルロック式と呼ばれるロック機構を備えたものが従来より知られている。
【０００３】
この種の自動販売機のロック機構は、外扉に設けたハンドルの回動操作により外扉をロック又はロック解除する。ハンドルは、通常時において外扉に埋め込まれた状態であり、ハンドル操作が不可能な状態となっている。そして、ハンドルにはキーシリンダが組み込まれており、このキーシリンダに正当なキーを挿入・回転すると、ハンドルが前方に引き出された状態となって、ハンドル操作が可能になる。
【０００４】
ところで、泥棒による売上金の窃盗やメンテナンス業者の横領などの不正行為を防止することを目的として、例えば下記特許文献１のような自動販売機が提供されている。
【０００５】
特許文献１に開示される自動販売機は、図３に示すように、自動販売機の補助扉ロック１０１にリモコン操作方式の電気錠を採用し、リモコン操作器１０２にはＩＤ（識別符号）を付し、補助扉ロック１０１の解錠・施錠時に取得したＩＤデータを機内の制御システム側に送信し、その主制御部１０３の記憶部（メモリー）１０４にＩＤデータを記憶させている。すなわち、補助扉ロック１０１には、解錠・施錠の検出及びリモコン操作器１０２のＩＤデータを読み取る機能を備え、取得したデータを自動販売機の制御システムの主制御部１０３（図２におけるマスターボックス）に送信し、その記憶部１０４にＩＤ、施解錠履歴を時計１０５による日時データとともに記憶させておき、必要時にその履歴データを履歴出力部１０６より印字出力する。そして、前記記録から自動販売機に対して実際に行ったメンテナンスの日時や担当のルートサービスマンが携帯したリモコン操作器１０２のＩＤを特定している。
【特許文献１】特開２００５−３２１９０５号公報
【発明の開示】
【発明が解決しようとする課題】
【０００６】
ところで、このような従来の自動販売機では、商品の補充や売上金の回収などの機器本体のメンテナンスを行う際に、外扉のハンドルロック部を施解錠をするために金属製の鍵からなるメカキーを使用している。また、自動販売機は、複数の作業者が同一のメカキーを保持して施解錠操作を行っている。そして、操作履歴は、メンテナンスを行ったか否かを専用の入力端末による入力操作や管理用の用紙に必要事項を記入することで管理していた。
【０００７】
しかしながら、この種の自動販売機に使用されるメカキーは、金属製の鍵からなるので、不正複製や流出のおそれがあり、セキュリティ性に欠け、操作履歴を取ることができなかった。また、操作履歴は、紙ベースや専用の入力端末などで残せるが、不正複製や流出したメカキーによって不正な施解錠操作が起きた際の記録を残すことができず、盗難発生後の追跡が非常に困難であった。
【０００８】
また、特許文献１に開示される自動販売機では、電気錠である補助扉ロックを施解錠する際にメンテナンス業者毎のＩＤを記憶したリモコン操作器を用い、このリモコン操作器からＩＤを送信することで、メンテナンス業者による補助扉の施解錠操作履歴とその操作日時データを記録している。
【０００９】
しかしながら、この自動販売機は、主扉専用のキーと補助扉専用のリモコン操作器とが別体構成となっており、また既存の機器自体を大幅に改造しなければならないため、機器構成が大掛かりになるとともに製造コストが嵩んでしまうという問題があった。
【００１０】
そこで、本発明は上記問題点に鑑みてなされたものであり、既存の機器構成を利用して簡易的に扉の操作履歴を管理することができる自動販売機を提供することを目的とするものである。
【課題を解決するための手段】
【００１１】
上記した目的を達成するために、請求項１記載の自動販売機は、商品を収納する機器本体の前面にある外扉を前記機器本体に対して施解錠するためのハンドルロック部を備える自動販売機において、
施解錠操作によって前記ハンドルロック部を施解錠する施解錠キーに対し、個々に識別可能な個別ＩＤ情報を記憶したＩＣチップ内蔵のホルダ部が装着され、
前記施解錠キーの施解錠操作時に前記個別ＩＤ情報を取得するべく前記ハンドルロック部近傍に配設されるＩＤ取得部と、
前記外扉の開閉を検出し、この検出に基づく開閉情報を開閉履歴情報として出力する扉センサと、
前記ハンドルロック部の施解錠時に前記ＩＤ取得部が取得した個別ＩＤ情報に基づく施解錠履歴情報と、前記扉センサからの開閉情報に基づく開閉履歴情報とを操作履歴情報として記憶するログ情報処理部とを備えたことを特徴とする。
【００１２】
請求項２記載の自動販売機は、請求項１記載の自動販売機において、
前記ＩＤ取得部は、前記外扉の裏面側で前記ハンドルロック部の外枠に埋設されるアンテナで構成されることを特徴とする。
【００１３】
請求項３記載の自動販売機は、請求項１又は２記載の自動販売機において、
前記ログ情報処理部は、外部端末と通信可能な通信インターフェースを備えていることを特徴とする。
【発明の効果】
【００１４】
本発明の自動販売機によれば、既存の機器構成に対して容易に後付け可能であるため、設置コストを抑えつつ簡易的に防犯機能を向上することができる。また、売上金の盗難やメンテナンス異常などが発生した場合には、施解錠・開閉扉時の履歴が残るので、盗難発生の抑制にもつながる。さらに、操作履歴情報を外部端末で収集して分析すれば、犯人の追跡や異常発生時のメンテナンス業者の特定など迅速に対応することができる。
【００１５】
施解錠キーに装着されたホルダ部に内蔵のＩＣチップは、複製が極めて困難なため、不正流出の可能性が大幅に減少し、不正行為の抑制にも効果を奏するとともに、操作履歴を記録するための専用の入力端末の操作や用紙記入等の作業の煩わしいさからも解消される。しかも、ＩＣチップは電池不要なので、メンテナンスフリーによる導入が比較的容易である。
【００１６】
外扉の裏面側でハンドルロック部の外枠にアンテナを埋設してＩＤ取得部を構成すれば、施解錠キーの施解錠操作時に個別ＩＤ情報を確実に取得することができる。
【発明を実施するための最良の形態】
【００１７】
以下、本発明を実施するための最良の形態について、添付した図面を参照しながら詳細に説明する。図１は本発明に係る自動販売機のシステム構成を説明するための概略ブロック図、図２（ａ）は本発明に係る自動販売機の概略構成を説明するための概略斜視図、図２（ｂ）は同自動販売機の内部構成を説明するための概略斜視図である。
【００１８】
図１に示すように、本例の自動販売機１は、メンテナンス業者が所持する専用の施解錠キー２０で自動販売機１の扉を施解錠操作する際に、施解錠キー２０から個別ＩＤ情報を読み取り、この読み取った個別ＩＤ情報に基づく施解錠履歴や解錠後の扉の開閉情報に基づく開閉履歴を操作履歴情報として記憶している。そして、この記憶された操作履歴情報は、必要に応じて外部端末３０で収集管理が可能となっている。
【００１９】
施解錠キー２０は、自動販売機１のメンテナンス時に、図２に示す外扉３に配設されるハンドルロック部４のシリンダ錠に挿入し、所定方向へ回動操作することで施解錠を行う金属製の鍵からなる既存のメカキーを利用している。そして、施解錠キー２０のキートップ部分には、図１に示すように、メンテナンス業者個々を特定するための個別ＩＤ情報を記憶したＩＣチップ内蔵のホルダ部２１が装着されている。ホルダ部２１は、施解錠キー２０のキートップに対して固定されるのが好ましいが、着脱可能な構成としても良い。施解錠キー２０は、メンテナンス業者によって自動販売機１をメンテナンスする際に施錠操作又は解錠操作されると、ホルダ部２１に記憶された個別ＩＤ情報が自動販売機１の後述するＩＤ取得部１０によって取得される。
【００２０】
自動販売機１は、例えば飲料、食品、嗜好品、その他各種商品を販売する既存の機器である。一般的な自動販売機１の機器構成としては、図２（ａ）に示すように、機器本体２の前面に開閉自在な外扉３が設けられる。この外扉３には、機器本体２に対して外扉３を施解錠するためのシリンダ錠が設けられたハンドル操作式のハンドルロック部４、商品を購入する際に商品代を投入する貨幣投入口５や紙幣投入口６、商品を取り出す商品取出口７などが配設されている。また、図２（ｂ）に示すように、外扉３の裏面側には、貨幣投入口５や紙幣投入口６から投入された商品の売上金を保管するための金庫８が設けられる。さらに、機器本体２の庫内には、商品を収納するための商品収納ラック９が収設されている。
【００２１】
そして、本例の自動販売機１は、施解錠・開閉扉時の操作履歴を管理するため、図１に示すように、施解錠キー２０から個別ＩＤ情報を取得するＩＤ取得部１０と、扉の開閉を検出する扉センサ１１と、自動販売機１の操作履歴情報の処理を行うログ情報処理部１２とを備えている。
【００２２】
ＩＤ取得部１０は、施解錠キー２０に装着されたホルダ部２１の個別ＩＤ情報を取得するための通信用アンテナで構成される。この通信用アンテナは、ハンドルロック部４の近傍（シリンダ錠周り）に後付けされる。具体的には、通信用アンテナを枠状の樹脂に埋め込み、この樹脂を外扉３の裏面側からハンドルロック部４の外枠に取り付ける。ＩＤ取得部１０は、ハンドルロック部４が解錠又は施錠された際に、施解錠キー２０から取得した個別ＩＤ情報をログ情報処理部１２に出力している。
【００２３】
なお、ＩＤ取得部１０は、より確実に個別ＩＤ情報を取得するため、ハンドルロック部４のシリンダ錠周りに設けているが、ハンドルロック部４の施解錠時（シリンダ錠に施解錠キー２０を挿入した時）に施解錠キー２０から個別ＩＤ情報を取得できる位置であれば良い。
【００２４】
扉センサ１１は、例えば光センサやマイクロスイッチ等の各種センサで構成される。扉センサ１１は、外扉３が開閉したことを検出し、この検出に基づく開閉情報をログ情報処理部１２に出力している。
【００２５】
ログ情報処理部１２は、例えば磁気的、光学的記憶媒体若しくはＲＯＭ、ＲＡＭ等の半導体メモリで構成される記憶手段１２ａを備えて構成される。ログ情報処理部１２は、ハンドルロック部４の解錠時にＩＤ取得部１０から個別ＩＤ情報が入力すると、その個別ＩＤ情報を取得時間とともに解錠履歴情報（メンテナンス業者の誰が何時に解錠したかを示す情報）として記憶手段１２ａに記憶している。同様に、ハンドルロック部４の施錠時にＩＤ取得部１０から個別ＩＤ情報が入力すると、その個別ＩＤ情報を取得時間とともに施錠履歴情報（メンテナンス業者の誰が何時に施錠したかを示す情報）として記憶手段１２ａに記憶している。さらに、ログ情報処理部１２は、解錠後に扉センサ１１から入力した開閉情報を取得時間とともに開閉履歴情報（扉が何時に開閉されたかを示す情報）として記憶手段１２ａに記憶している。そして、上述した施錠履歴情報と解錠履歴情報とによる施解錠履歴情報と開閉履歴情報とが操作履歴情報として記憶手段１２ａに記憶される。
【００２６】
また、ログ情報処理部１２は、予めログ管理用ソフトウェアがインストールされたパソコンなどの外部端末３０と通信可能な例えばＲＳ−２３２Ｃなどの通信インターフェースを備えている。そして、メンテナンス業者は、通信インターフェースに外部端末３０を接続し、記憶手段１２ａに記憶された操作履歴情報を必要に応じて外部端末３０に取り込むことで収集管理することができる。
【００２７】
上記構成による自動販売機１では、まずメンテナンス業者がメンテナンスをするべく、専用の施解錠キー２０でハンドルロック部４を解錠して機器本体２の外扉３を開扉する。このとき、メンテナンス業者が施解錠キー２０で解錠した際の個別ＩＤ情報と、外扉３を開扉した際の扉センサ１１の開閉情報とがログ情報処理部１２に出力される。これにより、個別ＩＤ情報に基づく解錠履歴情報と、扉センサ１１からの開閉情報に基づく開閉履歴情報とが操作履歴情報としてログ情報処理部１２の記憶手段１２ａに記憶される。
【００２８】
そして、メンテナンス業者は、商品の補充や売上金の回収等のメンテナンスが終了すると、外扉３を閉扉し、再び施解錠キー２０を用いてハンドルロック部４を施錠する。このとき、メンテナンス業者が施解錠キー２０で施錠した際の個別ＩＤ情報と、外扉３を閉扉した際の扉センサ１１の開閉情報とがログ情報処理部１２に出力される。これにより、この個別ＩＤ情報に基づく施錠履歴情報と、扉センサ１１からの開閉情報に基づく開閉履歴情報とが操作履歴情報としてログ情報処理部１２の記憶手段１２ａに記憶される。
【００２９】
そして、施解錠・開閉扉時に記憶手段１２ａに記憶される操作履歴情報を管理する場合には、通信インターフェースを介して外部端末３０を接続する。これにより、記憶手段１２ａに記憶された操作履歴情報を外部端末３０に取り込み、収集分析することで盗難の有無などを把握し、状況に応じた然るべき対応を迅速に行うことができる。
【００３０】
このように、本例の自動販売機１のシステムでは、既存の機器構成を利用し、従来から使用している金属製鍵からなるメカキーにメンテナンス業者個々を特定するための個別ＩＤ情報を記憶したＩＣチップ内蔵のホルダ部２１を装着し、ハンドルロック部４近傍に個別ＩＤ情報を取得するための通信用アンテナからなるＩＤ取得部１０を後付け配設している。そして、メンテナンス時に施解錠キー２０によってハンドルロック部４が施解錠された際の施解錠履歴情報と外扉３の開閉履歴情報とが操作履歴情報（ログ情報）としてログ情報処理部１２の記憶手段１２ａに逐次記憶される。
【００３１】
従って、本例の自動販売機１のシステムによれば、既存の機器構成に対して容易に後付け可能であるため、設置コストを抑えつつ簡易的に防犯機能を向上することができる。また、売上金の盗難やメンテナンス異常などが発生した場合には、自動販売機１内の記憶手段１２ａに施解錠・開閉扉時の操作履歴が残るので、盗難発生の抑制にもつながる。さらに、操作履歴情報を外部端末３０で収集して分析すれば、犯人の追跡や異常発生時のメンテナンス業者の特定など迅速に対応することができる。
【００３２】
また、施解錠キー２０に装着されたホルダ部２１に内蔵のＩＣチップは、複製が極めて困難なため、セキュリティ性に優れ、不正流出の可能性が大幅に減少し、不正行為の抑制にも効果を奏するとともに、操作履歴を記録するための専用の入力端末の操作や用紙記入等の作業の煩わしいさからも解消される。しかも、ＩＣチップは電池不要なので、メンテナンスフリーによる導入が比較的容易である。
【００３３】
さらに、外扉３の裏面側でハンドルロック部４の外枠に通信用アンテナを埋設してＩＤ取得部１０を構成しているので、施解錠キー２０の施解錠操作時に個別ＩＤ情報を確実に取得することができる。
【００３４】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００３５】
【図１】本発明に係る自動販売機のシステム構成を説明するための概略ブロック図である。
【図２】（ａ）  本発明に係る自動販売機の概略構成を説明するための概略斜視図である。  （ｂ）  同自動販売機の内部構成を説明するための概略斜視図である。
【図３】従来の自動販売機の構成を説明するための概略説明図である。
【符号の説明】
【００３６】
１  自動販売機
２  機器本体
３  外扉
４  ハンドルロック部
５  貨幣投入口  
６  紙幣投入口
７  商品取出口
８  金庫
９  商品収納ラック
１０  ＩＤ取得部
１１  扉センサ
１２  ログ情報処理部
１２ａ  記憶手段
２０  施解錠キー
２１  ホルダ部
３０  外部端末
【図１】
2009037524.tif 000003
【図２】
2009037524.tif 000004
【図３】
2009037524.tif 000005